(57)【特許請求の範囲】
【請求項１】
空気の吸込口及び吹出口を開口する筐体と、
前記筐体に設けられて前記吸込口と前記吹出口とを連通させる空気通路と、
前記空気通路内に配された送風機と、
前記吹出口から送出される空気の風向を左右方向に可変する風向板を有する着脱可能な風向板ユニットと、
を備えた空気調和機において、前記風向板ユニットが前記空気通路の下流側の端部の下壁から成るベース部と、前記筐体の底壁を形成する底壁部とを含み、
前記風向板ユニットが前記吹出口の吹出方向に沿ってスライド移動して着脱されることを特徴とする空気調和機。
【請求項２】
空気の吸込口及び吹出口を開口する筐体と、
前記筐体に設けられて前記吸込口と前記吹出口とを連通させる空気通路と、
前記空気通路内に配された送風機と、
前記吹出口から送出される空気の風向を左右方向に可変する風向板を有する着脱可能な風向板ユニットと、
を備えた空気調和機において、前記風向板ユニットが前記空気通路の下流側の端部の下壁から成るベース部と、前記筐体の底壁を形成する底壁部とを含むとともに、
前記筐体内に配される風向板モータと、前記ベース部に回転可能に取り付けられて前記風向板モータの軸部と前記風向板とを連結する連結部とを備え、
前記連結部が後端を開放して前記軸部が進入する溝部を有するとともに、前記ベース部に設けた貫通孔に遊嵌支持されることを特徴とする空気調和機。
【請求項３】
前記溝部の両側壁は後方へ行くほど互いに離れる方向に傾斜していることを特徴とする請求項２に記載の空気調和機。
【請求項４】
前記貫通孔が長径を左右方向に配した楕円形に形成されることを特徴とする請求項３に記載の空気調和機。
【請求項５】
空気の吸込口及び吹出口を開口する筐体と、
前記筐体に設けられて前記吸込口と前記吹出口とを連通させる空気通路と、
前記空気通路内に配された送風機と、
前記吹出口から送出される空気の風向を左右方向に可変する風向板を有する着脱可能な風向板ユニットと、
を備えた空気調和機において、前記風向板ユニットが前記空気通路の下流側の端部の下壁から成るベース部と、前記筐体の底壁を形成する底壁部とを含むとともに、
前記筐体内に配した係合部と、前記風向板ユニットの前記底壁部と前記ベース部との間に配されるとともに付勢部の付勢により前記係合部に係合する移動部材と、前記底壁部に開口する開口部を介して押下可能な押下部とを備え、
前記押下部の押下によって前記移動部材が移動して前記係合部との係合が解除されることを特徴とする空気調和機。
【請求項６】
前記ベース部の外面に凹凸部を設け、前記押下部と前記凹凸部とが左右方向の同じ位置に配置されることを特徴する請求項５に記載の空気調和機。
【請求項７】
空気の吸込口及び吹出口を開口する筐体と、
前記筐体に設けられて前記吸込口と前記吹出口とを連通させる空気通路と、
前記空気通路内に配された送風機と、
前記吹出口から送出される空気の風向を左右方向に可変する風向板を有する着脱可能な風向板ユニットと、
を備えた空気調和機において、前記風向板ユニットが前記空気通路の下流側の端部の下壁から成るベース部と、前記筐体の底壁を形成する底壁部とを含むとともに、
前記風向板ユニットの着脱を検知する着脱検知センサを備え、前記風向板ユニットが取り外された際に前記送風機の駆動を禁止することを特徴とする空気調和機。
【請求項８】
前記着脱検知センサが押ボタンスイッチから成るとともに、前記着脱検知センサの押ボタンに面したアーム部材を設け、前記風向板ユニットが取り付けられる際に前記アーム部材に摺動して前記押ボタンを押圧することを特徴とする請求項７に記載の空気調和機。
【請求項９】
空気の吸込口及び吹出口を開口する筐体と、
前記筐体に設けられて前記吸込口と前記吹出口とを連通させる空気通路と、
前記空気通路内に配された送風機と、
前記吹出口から送出される空気の風向を左右方向に可変する風向板を有する着脱可能な風向板ユニットと、
を備えた空気調和機において、前記風向板ユニットが前記空気通路の下流側の端部の下壁から成るベース部と、前記筐体の底壁を形成する底壁部とを含むとともに、
室内の人体を検知する人感センサと、前記人感センサに連結して前記人感センサの向きを左右方向に可変する操作レバーと、前記操作レバーを覆う開閉可能な蓋部とを備え、前記風向板により人体を避けて前記吹出口から気流を送出することを特徴とする空気調和機。
【請求項１０】
前記操作レバーの先端に凹部を設けるとともに前記凹部に嵌合する突起部を前記蓋部に設け、左方に傾倒した前記操作レバーの右側面が前記突起部により係止される第１の状態と、前記操作レバーの前記凹部に前記突起部が嵌合した第２の状態と、右方に傾倒した前記操作レバーの左側面が前記突起部により係止される第３の状態とを択一的に保持して前記人感センサの向きが三方向に可変されることを特徴とする請求項９に記載の空気調和機。
【発明の詳細な説明】
【技術分野】
【０００１】
本発明は、吹出口の風向を左右方向に可変する風向板を備えた空気調和機に関する。
【背景技術】
【０００２】
従来の空気調和機は特許文献１に開示されている。この空気調和機は空気の吸込口及び吹出口を開口して室内の側壁上部に取り付けられる筐体を備え、吸込口と吹出口とを連通させる空気通路が筐体内に形成される。空気通路には送風機及び熱交換器が配される。また、送風機の下流側の空気通路の上壁には着脱可能な風向板ユニットが設けられる。
【０００３】
風向板ユニットはベース部、複数の縦風向板、連結部及び操作部を有する。ベース部は空気通路の上壁に係合する係合部を有する。縦風向板はベース部上に左右方向に並んで立設され、左右方向に回動可能になっている。連結部は複数の風向板を連結する。操作部は連結部の左右方向中央部に設けられ、使用者が操作部を操作すると風向板が左右方向に回動する。
【０００４】
また、吹出口には筐体に対して着脱可能な複数の横風向板が上下方向に並設されている。横風向板は上下方向に回動可能になっており、吹出口から送出される空気の風向が上下方向に可変される。
【０００５】
送風機の駆動によって吸込口から室内の空気が空気通路に流入し、熱交換器と熱交換した空気が吹出口から室内に送出される。この時、風向板ユニットの操作部の操作により、吹出口から送出される空気の風向が左右方向に可変される。
【０００６】
送風機の回転が停止した状態で、横風向板を取り外した後に使用者が係合部の係合を解除して風向板ユニットを把持して下方に引くと、風向板ユニットが取り外される。これにより、使用者は風向板を容易に清掃することができるとともに、吹出口を介して空気通路や送風機を容易に清掃することができる。
【先行技術文献】
【特許文献】
【０００７】
【特許文献１】特許第３３０６２５０号公報（第４頁、第５頁、第３図）
【発明の概要】
【発明が解決しようとする課題】
【０００８】
しかしながら、上記従来の空気調和機によると、使用者は吹出口から空気通路内に手を入れて風向板ユニットと空気通路の上壁との係合を解除する必要がある。このため、風向板ユニットを筐体から取り外す作業が煩雑になり、空気調和機の利便性が低下する問題があった。
【０００９】
本発明は、利便性を向上できる空気調和機を提供することを目的とする。
【課題を解決するための手段】
【００１０】
上記目的を達成するために本発明は、
空気の吸込口及び吹出口を開口する筐体と、
前記筐体に設けられて前記吸込口と前記吹出口とを連通させる空気通路と、
前記空気通路内に配された送風機と、
前記吹出口から送出される空気の風向を左右方向に可変する風向板を有する着脱可能な風向板ユニットと、
を備えた送風装置において、前記風向板ユニットが前記空気通路の下流側の端部の下壁から成るベース部と、前記筐体の底壁を形成する底壁部とを含むことを特徴としている。
【００１１】
また、本発明は上記構成の空気調和機において、前記風向板ユニットが前記吹出口の吹出方向に沿ってスライド移動して着脱されると好ましい。
【００１２】
また、本発明は上記構成の空気調和機において、前記筐体内に配される風向板モータと、前記ベース部に回転可能に取り付けられて前記風向板モータの軸部と前記風向板とを連結する連結部とを備え、前記連結部が後端を開放して前記軸部が進入する溝部を有するとともに、前記ベース部に設けた貫通孔に遊嵌支持されると好ましい。
【００１３】
また、本発明は上記構成の空気調和機において、前記溝部の両側壁は後方へ行くほど互いに離れる方向に傾斜していると好ましい。
【００１４】
また、本発明は上記構成の空気調和機において、前記貫通孔が長径を左右方向に配した楕円形に形成されると好ましい。
【００１５】
また、本発明は上記構成の空気調和機において、前記筐体内に配した係合部と、前記風向板ユニットの前記底壁部と前記ベース部との間に配されるとともに付勢部の付勢により前記係合部に係合する移動部材と、前記底壁部に開口する開口部を介して押下可能な押下部とを備え、前記押下部の押下によって前記移動部材が移動して前記係合部との係合が解除されると好ましい。
【００１６】
また、本発明は上記構成の空気調和機において、前記ベース部の外面に凹凸部を設け、前記押下部と前記凹凸部とが左右方向の同じ位置に配置されると好ましい。
【００１７】
また、本発明は上記構成の空気調和機において、前記風向板ユニットの着脱を検知する着脱検知センサを備え、前記風向板ユニットが取り外された際に前記送風機の駆動を禁止すると好ましい。
【００１８】
また、本発明は上記構成の空気調和機において、前記着脱検知センサが押ボタンスイッチから成るとともに、前記着脱検知センサの押ボタンに面したアーム部材を設け、前記風向板ユニットが取り付けられる際に前記アーム部材に摺動して前記押しボタンを押圧すると好ましい。
【００１９】
また、本発明は上記構成の空気調和機において、室内の人体を検知する人感センサを備え、前記風向板により人体を避けて前記吹出口から気流を送出すると好ましい。
【００２０】
また、本発明は上記構成の空気調和機において、前記人感センサに連結して前記人感センサの向きを左右方向に可変する操作レバーと、前記操作レバーを覆う開閉可能な蓋部とを備えると好ましい。
【００２１】
また、本発明は上記構成の空気調和機において、前記操作レバーの先端に凹部を設けるとともに前記凹部に嵌合する突起部を前記蓋部に設け、左方に傾倒した前記操作レバーの右側面が前記突起部により係止される第１の状態と、前記操作レバーの前記凹部に前記突起部が嵌合した第２の状態と、右方に傾倒した前記操作レバーの左側面が前記突起部により係止される第３の状態とを択一的に保持して前記人感センサの向きが三方向に可変されると好ましい。
【００２２】
また、本発明は、
空気の吸込口及び吹出口を開口する筐体と、
前記筐体に設けられて前記吸込口と前記吹出口とを連通させる空気通路と、
前記空気通路内に配された送風機と、
室内の人体を検知する人感センサと、
前記吹出口から送出される空気の風向を前記人感センサの検知結果に基づいて左右方向に可変する風向板と、
を備えた空気調和機において、前記人感センサに連結して前記人感センサの向きを左右方向に可変する操作レバーと、前記操作レバーを覆う開閉可能な蓋部とを備えたことを特徴としている。
【発明の効果】
【００２３】
本発明の空気調和機によると、吹出口から送出される空気の風向を左右方向に可変する風向板を有する着脱可能な風向板ユニットが空気通路の下流側の端部の下壁から成るベース部と、筐体の底壁を形成する底壁部とを含む。これにより、使用者は、吹出口から離れた空気通路内で取り外し作業をすることなく、風向板ユニットを容易に取り外すことができる。したがって、空気調和機の利便性を向上させることができる。
【図面の簡単な説明】
【００２４】
【図１】本発明の第１実施形態の空気調和機を示す斜視図
【図２】本発明の第１実施形態の空気調和機を示す側面断面図
【図３】本発明の第１実施形態の空気調和機の風向板ユニットを示す斜視図
【図４】本発明の第１実施形態の空気調和機の風向板ユニットを示す側面断面図
【図５】本発明の第１実施形態の空気調和機の風向板ユニットを示す上面図
【図６】本発明の第１実施形態の空気調和機の風向板ユニットを示す背面断面図
【図７】本発明の第１実施形態の空気調和機の風向板ユニットのロック時のロック機構を示す背面断面図
【図８】本発明の第１実施形態の空気調和機の風向板ユニットのロック解除時のロック機構を示す背面断面図
【図９】本発明の第１実施形態の空気調和機の風向板ユニットの係合部を示す上面断面図
【図１０】本発明の第１実施形態の空気調和機の風向板ユニットの連結部を示す正面断面図
【図１１】本発明の第１実施形態の空気調和機の風向板ユニットの連結部を示す底面断面図
【図１２】本発明の第１実施形態の空気調和機の着脱検知センサを示す断面斜視図
【図１３】本発明の第１実施形態の空気調和機の着脱検知センサを示す上面図
【図１４】本発明の第１実施形態の空気調和機の着脱検知センサを示す側面図
【図１５】本発明の第２実施形態の空気調和機の斜視図
【図１６】本発明の第２実施形態の空気調和機の人感センサの斜視図
【図１７】本発明の第２実施形態の空気調和機の人感センサの側面断面図
【図１８】本発明の第２実施形態の空気調和機の操作レバーの正面図
【図１９】本発明の第２実施形態の空気調和機の人感センサの左向き時の操作レバーの上面断面図
【図２０】本発明の第２実施形態の空気調和機の人感センサの正面向き時の操作レバーの上面断面図
【図２１】本発明の第２実施形態の空気調和機の人感センサの右向き時の操作レバーの上面断面図
【図２２】本発明の第２実施形態の空気調和機の人感センサの左向き時の正面図
【図２３】本発明の第２実施形態の空気調和機の人感センサの正面向き時の正面図
【図２４】本発明の第２実施形態の空気調和機の人感センサの右向き時の正面図
【図２５】本発明の第３実施形態の空気調和機の風向板ユニットの上面図
【発明を実施するための形態】
【００２５】
＜第１実施形態＞
以下に本発明の実施形態を図面を参照して説明する。図１は第１実施形態の空気調和機の斜視図を示している。空気調和機１は室内の壁面に設置され、屋外に設置された室外機（不図示）に接続される室内機を構成する。空気調和機１はリモートコントローラ（不図示）の操作により運転開始や運転停止等が指示される。
【００２６】
空気調和機１は室内の側壁Ｗ（図２参照）に取り付けられる筐体２を備え、筐体２の前面を形成するフロントパネル３が筐体２に対して着脱可能に設けられる。筐体２は側面後部に設けられた爪部（不図示）を側壁Ｗの天井面Ｓ（図２参照）に近い高さに取り付けられた取付板（不図示）に係合して支持される。
【００２７】
筐体２の上面には左右方向に延びる吸込口４が開口し、筐体２の下部には吹出口５が開口する。吹出口５は筐体２の左右方向に延びる略矩形に形成され、下方に臨んで設けられる。空気調和機１の運転停止時に吹出口５は湾曲した１枚の導風パネル８０により閉塞される。
【００２８】
図２は空気調和機１の側面断面図を示している。筐体２の内部には吸込口４と吹出口５とを連通させる空気通路６が設けられる。空気通路６内には空気を送出する送風機７が配される。送風機７の駆動によって吸込口４から室内の空気が空気通路６に流入し、吹出口５から送出される。送風機７としてはクロスフローファンが好適に用いられるが、他の種類の送風機を用いてもよい。
【００２９】
空気通路６内の吸込口４と送風機７との間には熱交換器８が配される。熱交換器８は室外機に配した冷凍サイクルを運転する圧縮機（不図示）に接続され、空気通路６を流通する空気と熱交換を行う。これにより、空気調和機１の冷房運転時及び暖房運転時には導風パネル８０を開いて吹出口５から冷気及び暖気が室内にそれぞれ送出される。熱交換器８の下方にはドレンパン９が設けられる。
【００３０】
空気通路６には送風機７と吹出口５との間にダクト状の吹出通路６３が形成される。吹出通路６３の上下面は上壁６３ａ及び下壁６３ｂにより形成され、左右面は送風機７を軸支する側壁（不図示）により形成される。また、上壁６３ａ及び下壁６３ｂは前方が下方に傾斜し、吹出通路６３は傾斜して気流を前方下方に案内する。
【００３１】
吹出通路６３内の吹出口５の近傍には風向板ユニット１０が筐体２に対して着脱可能に設けられている。風向板ユニット１０は左右方向に回動可能な複数の風向板１２を有する。これにより、吹出口５から送出される空気の風向が左右方向に可変される。また、筐体２の空気通路６の終端近傍には風向板ユニット１０を取付位置まで案内するガイド部材（不図示）が設けられる。風向板ユニット１０はガイド部材によって吹出口５の吹出方向に沿ってスライドして着脱される。なお、風向板ユニット１０の詳細については後述する。
【００３２】
導風パネル８０は、筐体２に設けられて伸縮するアーム部材（不図示）に上下方向に回動可能に支持されている。図２に示すように導風パネル８０は空気調和機１の運転停止時には吹出口５を閉塞する。これにより、空気通路６内が視認されず、空気調和機１の美観を向上させることができる。
【００３３】
空気調和機１の冷房運転時に、導風パネル８０は一点鎖線Ｘの位置に回動し、矢印Ａに示すように吹出口５から送出される調和空気を水平方向ないし上方に導く。空気調和機１の暖房運転時に、導風パネル８０は二点鎖線Ｙの位置に回動し、矢印Ｂに示すように吹出口５から送出される調和空気を下方に導く。これにより、吹出口５から送出される調和空気の風向が導風パネル８０によって上下方向に可変される。
【００３４】
吸込口４と熱交換器８との間には吸込口４に面して左右方向に延びるフィルタ７０が配される。フィルタ７０は筐体２の前端部から後端部にわたって配され、吸込口４を介して空気通路６に流入する空気中の塵埃を捕集する。フィルタ７０はＡＢＳ等の合成樹脂で形成された複数段複数列の窓部を有する矩形の枠（不図示）にポリプロピレン製のメッシュ（不図示）を溶着して形成される。フィルタ７０の枠の左右端部には筐体２に設けたピニオン（不図示）に噛合するラック（不図示）が形成される。
【００３５】
筐体２にはフィルタ７０に付着した塵埃を除去して回収するフィルタ清掃装置５０が設けられる。フィルタ清掃装置５０はフィルタモータ（不図示）、回転ブラシ５１、集塵ボックス５２及びガイドフレーム５３を備えている。
【００３６】
フィルタモータはフィルタ７０のラックに噛合するピニオンを回転駆動する。ガイドフレーム５３は筐体２内の上部に配され、フィルタモータの駆動によって移動するフィルタ７０を案内する。フィルタモータの駆動によりフィルタ７０は吸込口４に対向した捕集位置Ｃと捕集位置Ｃに対して上下が反転した反転位置Ｄとの間を往復移動する。
【００３７】
集塵ボックス５２はガイドフレーム５３の下方に配置され、筐体２に対して着脱可能になっている。回転ブラシ５１は集塵ボックス５２上に配され、ブラシ用モータ（不図示）により回転駆動される。回転ブラシ５１は移動するフィルタ７０上の塵埃を除去し、除去された塵埃は集塵ボックス５２内に溜められる。
【００３８】
図３は風向板ユニット１０の背面側から見た斜視図を示している。図４は風向板ユニット１０の側面断面図を示し、風向板ユニット１０が筐体２に取り付けられている様子を示している。図５は風向板ユニット１０の上面図を示している。図６は風向板ユニット１０の背面断面図を示している。風向板ユニット１０は、ベース部１１、複数の風向板１２、連結部１３及び底壁部１４を有する。
【００３９】
ベース部１１は空気通路６の下流側の端部の下壁６３ｂにより形成される。風向板ユニット１０が筐体２に取付けられた際にベース部１１の上面はベース部１１の上流側の下壁６３ｂの上面と面一になる。ベース部１１の両側端部には貫通孔１１ａと側方に突出する突出部１５とが設けられている。貫通孔１１ａは長径を左右方向に配した略楕円形に形成され、貫通孔１１ａの左右端部には切欠き部１１ｇ（図１１参照）が設けられる。複数の風向板１２はベース部１１上に左右方向に並んで立設され、左右方向に回動可能になっている。
【００４０】
連結部１３は、溝部１３ａを有して貫通孔１１ａに挿通される挿通部１３ｃ（図１０参照）と、挿通部１３ｃに接続されて複数の風向板１２を連結する連結棒１３ｂとを有する。溝部１３ａには後述の風向板モータ２０の軸部２１に設けたキャップ２２が着脱可能に嵌合する。挿通部１３ｃの水平断面形状は略円形に形成され、挿通部１３ｃは周面から突出する２つの係合部１３ｄ（図１１参照）と、係合部１３ｄの上方に設けられてベース部１１の上方から貫通孔１１ａの周縁部を覆うフランジ部１３ｅ（図１０参照）とを有する。係合部１３ｄを切欠き部１１ｇに挿通させた後に挿通部１３ｃを回転させる。これにより、係合部１３ｄとフランジ部１３ｅとの間に貫通孔１１ａの周縁部が配され、挿通部１３ｃはベース部１１に回転可能で貫通孔１１ａに遊嵌支持される。
【００４１】
底壁部１４はベース部１１の前端（空気通路６の下壁６３ｂの終端）に連設されて筐体２の底壁を形成している。また、風向板ユニット１０の右部及び左部には風向板ユニット１０を筐体２にロックするロック機構１００が設けられる。
【００４２】
図７及び図８は風向板ユニット１０の左方のロック機構１００の背面断面図を示し、それぞれロック時及びロック解除時の様子を示している。右方のロック機構１００は左方のロック機構１００と同様の構成になっているため、左方のロック機構１００を代表して以下説明する。
【００４３】
ロック機構１００は、係合部１６（図９参照）、付勢部１７、移動部材１８及び押下部１９を有する。図９は筐体２の下端部の左端部の上面断面図を示している。係合部１６は筐体２の下端部の左端部に設けられて側面を開口する凹部から成る。係合部１６の前方には後方へ行くほど筐体２の左右方向中央部に近づくように傾斜する傾斜面２５が設けられる。移動部材１８は風向板ユニット１０の底壁部１４とベース部１１との間に配され、コイルバネ等から成る付勢部１７により先端部１８ａが係合部１６に係合する方向に付勢されている。移動部材１８の右端部には上方へ行くほど左方に傾斜する傾斜部１８ｂが設けられる。
【００４４】
押下部１９は底壁部１４に開口する開口部１４ａを介して押下可能になっている。使用者が押下部１９を上方に向けて押圧すると、押下部１９の先端部１９ａが移動部材１８の傾斜部１８上を摺動して移動部材１８を右方（図中左方）に移動させる。これにより、先端部１８ａが右方に移動して先端部１８ａと係合部１６との係合が解除され、風向板ユニット１０の筐体２に対するロックが解除される。
【００４５】
図１０及び図１１は連結部１３の挿通部１３ｃの正面断面図及び底面断面図をそれぞれ示している。下壁６３ｂの前端部の後方の筐体２内には風向板モータ２０が設けられている。風向板モータ２０の軸部２１の先端部には断面略矩形のキャップ２２が被嵌されている。
【００４６】
溝部１３ａは後端が開放され、後端よりキャップ２２が進入し、脱出することができる。これにより、風向板ユニット１０と風向板モータ２０の軸部２１との連結及び連結解除を容易に行うことができる。キャップ２２が溝部１３ａに嵌合することにより連結部１３は軸部２１に連結され、軸部２１の回転を風向板１２に伝達することができる。
【００４７】
図１２及び図１３は風向板ユニット１０の右端部の断面斜視図及び上面断面図を示している。なお、図１２及び図１３は風向板ユニット１０が筐体２に取り付けられている様子を示している。筐体２の下端部の両側端部には着脱検知センサ３０が設けられる。
【００４８】
着脱検知センサ３０は押ボタンスイッチから成り、押ボタン３１及びアーム部材３２を有する。アーム部材３２はステンレス等の金属から成る短冊状の板により形成され、前端を支点として押ボタン３１から離れる方向に付勢されて押ボタン３１に面して設けられる。アーム部材３２の後端部は上方に凸になるように湾曲して湾曲部３２ａを形成している。
【００４９】
図１４は着脱検知センサ３０のアーム部材３２の側面図を示している。風向板ユニット１０を矢印Ｓで示すように前方から筐体２に取り付けていくと、突出部１５が前方からアーム部材３２上を摺動する。その後、突出部１５が一点鎖線１５´の位置まで到達すると湾曲部３２ａ上に乗り上げ、アーム部材３２は一点鎖線３２´で示す位置まで押し下げられる。この時、押ボタン３１は一点鎖線３１´で示す位置までアーム部材３２によって押し下げられる。これにより、空気調和機１は風向板ユニット１０が筐体２に取付けられていると判断することができる。
【００５０】
風向板ユニット１０を筐体２から取り外すと、突出部１５によるアーム部材３２を介した押ボタン３１の押圧が解除される。これにより、空気調和機１は風向板ユニット１０が筐体２から取り外されたと判断することができる。この時、送風機７の駆動が禁止される。これにより、風向板ユニット１０を取り外した状態で安全に送風機７や空気通路６を清掃することができる。
【００５１】
上記構成の空気調和機１において、使用者がリモートコントローラを操作すると、冷房運転または暖房運転が開始される。冷房運転時には導風パネル８０が一点鎖線Ｘ（図２参照）で示す位置に回動し、矢印Ａで示すように吹出口５から水平方向ないし上方に調和空気が送出される。これにより、室内の冷房が行われる。暖房運転時には導風パネル８０が二点鎖線Ｙ（図２参照）で示す位置に回動し、矢印Ｂで示すように吹出口５から下方に調和空気が送出される。これにより、室内の暖房が行われる。
【００５２】
リモートコントローラの操作により冷房運転及び暖房運転が停止されて例えば空気調和機１の運転回数が所定の上限回数を超えた場合には、フィルタ清掃装置５０のフィルタモータが駆動され、ピニオンが回転する。これにより、フィルタ７０がガイドフレーム５３に沿って捕集位置Ｃから反転位置Ｄに向かって移動し、反転位置Ｄに到達したフィルタ７０は捕集位置Ｃに向かって移動する。この時、回転ブラシ５１がブラシ用モータにより回転し、回転ブラシ５１によってフィルタ７０上の塵埃が除去される。フィルタ７０から除去された塵埃は集塵ボックス５２内に溜められる。集塵ボックス５２を筐体２から取り外して集塵ボックス５２内の塵埃を廃棄することができる。
【００５３】
空気調和機１の冷房運転及び暖房運転が停止している時に、リモートコントローラの所定のボタンを押すと、風向板１２が筐体２の幅方向（左右方向）に対して垂直になるように配される（図５の状態）。この時、風向板モータ２０のキャップ２２の長辺が筐体２の幅方向に対して垂直になっている。また、導風パネル８０が二点鎖線Ｙ（図２参照）で示す位置に配される。
【００５４】
そして、使用者が押下部１９の位置で手指により風向板ユニット１０を上下方向に保持しながら押下部１９を上方に向けて押圧すると、移動部材１８の先端部１８ａと係合部１６との係合が解除され、風向板ユニット１０のロックが解除される。その後、使用者は風向板ユニット１０を吹出口５の吹出方向に沿ってスライド移動させて風向板ユニット１０を取り外す。
【００５５】
この時、風向板ユニット１０が空気通路６の下流側の端部の下壁６３ｂから成るベース部１１と、筐体２の底壁を形成する底壁部１４とを含む。これにより、使用者は、吹出口５から離れた空気通路６内で取り外し作業をすることなく、風向板ユニット１０を容易に取り外すことができる。したがって、空気調和機１の利便性を向上させることができる。
【００５６】
また、ロック機構１００は空気通路６の外側に配置されているため、ロック機構１００は空気通路６内を流通する気流に対して抵抗にならない。したがって、ロック機構１００による気流の乱れを防止し、空気調和機１の送風性能の低下を防止することができる。
【００５７】
風向板ユニット１０を取り外した後に、使用者は吹出口５を介して空気通路６内や送風機７を容易に清掃することができる。また、風向板１２も容易に清掃することができる。したがって、空気調和機１の清掃性を向上させることができる。この時、送風機７の駆動は禁止されているため、送風機７や空気通路６を安全に清掃することができる。
【００５８】
また、風向板ユニット１０が筐体２に取り付けられていない際に、リモートコントローラの操作により冷房運転や暖房運転が指示された場合には「風向板ユニットを取り付けて下さい」等の音声で報知が行われる。これにより、使用者に対して風向板ユニット１０の取付を容易に促すことができる。なお、筐体２の前面に設けた表示部（不図示）の点灯により、使用者に対して風向板ユニット１０の取付を促す報知を行ってもよい。
【００５９】
空気通路６や送風機７の清掃を終了した後に風向板ユニット１０を筐体２に取り付ける。この時、移動部材１８の先端部１８ａは筐体２の傾斜面２５（図９参照）に押圧されるため、先端部１８ａは付勢部１７の付勢力に抗して移動し、係合部１６に到達すると係合部１６に係合する。これにより、押下部１９を押圧することなく風向板ユニット１０を吹出口５の吹出方向に沿ってスライド移動させるだけで、先端部１８ａは係合部１６に係合されて風向板ユニット１０は筐体２にロックされる。
【００６０】
本実施形態によると、風向板１２を有する着脱可能な風向板ユニット１０が空気通路６の下流側の端部の下壁から成るベース部１１と、筐体２の底壁を形成する底壁部１４とを含む。これにより、使用者は、吹出口５から離れた空気通路６内で取り外し作業をすることなく、風向板ユニット１０を容易に取り外すことができる。したがって、空気調和機１の利便性を向上させることができる。
【００６１】
また、風向板ユニット１０が吹出口５の吹出方向に沿ってスライド移動して着脱される。これにより、風向板１２と空気通路６の上壁との干渉を防止しながら、風向板ユニット１０を一層容易に取り外すことができる。
【００６２】
また、風向板ユニット１０の連結部１３が、後端を開放して風向板モータ２０の軸部２１が進入する溝部１３ａを有するとともに、ベース部１１に設けた貫通孔１１ａに遊嵌支持される。これにより、風向板ユニット１０の着脱の際に連結部１３と風向板モータ２０との連結及び連結解除を容易に行うことができる。
【００６３】
なお、風向板ユニット１０を取り外す際に使用者の手指が風向板１２に接触すると、キャップ２２の長辺が筐体２の幅方向に対して傾斜した状態に配される場合がある。この場合でも連結部１３は貫通孔１１ａに遊嵌支持されているため、溝部１３ａから軸部２１を容易に脱出させることができるとともに軸部２１を溝部１３ａに容易に進入させることができる。
【００６４】
また、溝部１３ａの両側壁は後方へ行くほど互いに離れる方向に傾斜している。これにより、風向板ユニット１０を筐体２に取り付ける際に風向板モータ２０のキャップ２２が容易に溝部１３ａに進入する。したがって、風向板モータ２０と風向板１２とを容易に連結することができる。
【００６５】
また、ベース部１１の貫通孔１１ａが長径を左右方向に配した楕円形に形成されるため、連結部１３の挿通部１３ｃの左右方向の移動を容易に実現することができる。したがって、風向板ユニット１０の着脱の際に連結部１３と風向板モータ２０との連結及び連結解除を容易に実現することができる。
【００６６】
また、筐体２内に配した係合部１６と、風向板ユニット１０の底壁部１４とベース部１１との間に配されるとともに付勢部１７の付勢により係合部に係合する移動部材１８と、底壁部１４に開口する開口部１４ａを介して押下可能な押下部１９とを備える。そして、押下部１９の押下によって移動部材１８が移動して係合部１６との係合が解除される。これにより、使用者は風向板ユニット１０を上下方向に保持した状態で容易にロックを解除することができる。
【００６７】
また、風向板ユニット１０の着脱を検知する着脱検知センサ３０を備え、風向板ユニット１０が取り外された際に送風機７の駆動を禁止する。これにより、風向板ユニット１０を取り外した状態で送風機７や空気通路６を安全に清掃することができる。
【００６８】
また、着脱検知センサ３０が押ボタンスイッチから成るとともに、着脱検知センサ３０の押ボタン３１に面したアーム部材３２を設け、風向板ユニット１０が取り付けられる際に突出部１５がアーム部材３２に摺動して押ボタン３１を押圧する。これにより、押ボタン３１のストローク（移動距離）が短い場合でも風向板ユニット１０を筐体２に取り付けた際に確実に押ボタン３１を押圧することができる。したがって、着脱検知センサ３０の誤検知を防止することができる。
【００６９】
＜第２実施形態＞
次に、本発明の第２実施形態について説明する。図１５は第２実施形態の空気調和機の斜視図を示している。説明の便宜上、前述の図１〜図１４に示す第１実施形態と同様の部分には同一の符号を付している。第２実施形態では人感センサ４０を設けている点で第１実施形態とは異なっている。その他の部分は第１実施形態と同様である。
【００７０】
筐体２の下部で吹出口５の上方には室内の人体を検知する人感センサ４０が筐体２の前方下方を向くように取り付けられている。人感センサ４０は赤外線センサから成り、室内の人体を検知する。人感センサ４０は左右方向で所定の視野角（例えば６０°）を有する。
【００７１】
図１６及び図１７は人感センサ４０の斜視図及び側面断面図をそれぞれ示している。人感センサ４０は筐体２に開口する開口部４０ａ内に配される。開口部４０ａの上方には前面に開口部４０ｂを開口した収納室４０ｃが設けられ、収納室４０ｃ内には操作レバー４１が設けられる。
【００７２】
操作レバー４１は後端に設けた回転軸４１ａを介して人感センサ４０に連結されている。操作レバー４１及び人感センサ４０は回動軸４１ａを中心に左右方向に回動可能になっている。操作レバー４１の前端には凹部４１ａが凹設され、操作レバー４１の前部で凹部４１ａの後方には上方に突出する半球形状の凸部４１ｂが設けられる。図１８に示すように、収納室４０ｃの上壁の前部には凸部４１ｂが嵌合する複数（本実施形態では３個）の窪み部４０ｄが左右方向に並設されている。
【００７３】
また、操作レバー４１の前方には操作レバー４１を覆う開閉可能な樹脂製の蓋部４２が設けられる。蓋部４２は下端を水平軸で筐体２に軸支され、蓋部４２の上端部の背面には後方に突出して操作レバー４１の凹部４１ａに嵌合する突起部４２ａが設けられている。
【００７４】
蓋部４２の両側端部には筐体２に設けた係合孔４２ｃに係合される係合爪４２ｂが設けられ、蓋部４２の上端には摘持部４２ｄが設けられる。筐体２の摘持部４２ｄに対向する位置には段差部４０ｇが設けられ、蓋部４２を閉じた状態で摘持部４２ｄと段差部４０ｇとの間には所定の隙間が設けられる。これにより、閉じた状態の蓋部４２の摘持部４２ｄを容易に摘持することができる。また、蓋部４２は人感センサ４０に対向する位置に開口部４２ｆを開口する。
【００７５】
空気調和機１の設置者は摘持部４２ｄを摘持して蓋部４２を開く。この時、係合爪４２ｂは弾性変形して係合孔４２ｃとの係合が解除される。空気調和機１を側壁Ｗの右端部に設置した場合には、操作レバー４１を回動軸４１ａを中心に左右方向に回動させて凸部４１ｂを左方の窪み部４０ｄに嵌合させる。これにより、図１９に示すように操作レバー４１は左方に傾倒して操作レバー４１の左側面は収納室４０ｃの左側面に当接する。そして、蓋部４２を閉じると、操作レバー４１の右側面が突起部４２ａにより係止され、人感センサ４０は図２２に示すように左向きの状態で保持される。
【００７６】
また、設置者が空気調和機１を側壁Ｗの左右方向の中央部に設置した場合には、操作レバー４１を回動させて凸部４１ｂを中央の窪み部４０ｄに嵌合させる。そして、蓋部４２を閉じると、図２０に示すように操作レバー４１の凹部４１ａに蓋部４２の突起部４２ａが嵌合し、人感センサ４０は図２３に示すように正面向きの状態で保持される。
【００７７】
また、設置者が空気調和機１を側壁Ｗの左端部に設置した場合には、操作レバー４１を回動させて凸部４１ｂを右方の窪み部４０ｄに嵌合させる。これにより、図２１に示すように操作レバー４１は右方に傾倒して操作レバー４１の右側面は収納室４０ｃの右側面に当接する。そして、蓋部４２を閉じると、操作レバー４１の左側面が突起部４２ａにより係止され、人感センサ４０は図２４に示すように右向きの状態で保持される。
【００７８】
以上のように、操作レバー４１の操作により人感センサ４０の向きが左右方向に可変される。これにより、室内での空気調和機１の設置位置に応じて人感センサ４０の検知領域を最適化することができ、室内の人体を確実に検知することができる。
【００７９】
この時、設置者は人感センサ４０に触れずに人感センサ４０の向きを変更することができる。これにより、手指の接触による人感センサ４０の汚染を防止することができる。
【００８０】
上記構成の空気調和機１において、冷房運転時または暖房運転時に人感センサ４０により室内の人体が検知されると、風向板ユニット１０の風向板１２が左右方向に回動して吹出口５から人体を避けて気流が送出される。これにより、使用者に直接風が当たり続けることを防止して使用者の健康被害を低減することができる。
【００８１】
本実施形態によると、第１実施形態と同様の効果を得ることができる。
【００８２】
また、室内の人体を検知する人感センサ４０を備え、風向板ユニット１０の風向板１２により人体を避けて吹出口５から気流を送出する。これにより、使用者に直接風が当たり続けることを防止して健康被害を低減することができる。
【００８３】
また、人感センサ４０に連結して人感センサ４０の向きを左右方向に可変する操作レバー４１を備える。これにより、空気調和機１の設置者は人感センサ４０に触れずに人感センサ４０の向きを変更することができる。したがって、手指の接触による人感センサ４０の汚染を低減することができる。また、操作レバー４１は蓋部４２により覆われるため、設置者や使用者の意図しない人感センサ４０の向き変更が防止される。
【００８４】
また、左方に傾倒した操作レバー４１の右側面が突起部４２ａにより係止される状態（第１の状態）と、操作レバー４１の凹部４１ａに突起部４２ａが嵌合する状態（第２の状態）と、右方に傾倒した操作レバー４１の左側面が突起部４２ａにより係止される状態（第３の状態）とを択一的に保持して人感センサ４０の向きが三方向に可変される。
【００８５】
これにより、人感センサ４０の向きを空気調和機１の設置位置に応じて調整した状態で人感センサ４０を確実に保持することができる。したがって、人感センサ４０の検知領域を容易に最適に維持することができる。
【００８６】
＜第３実施形態＞
次に、本発明の第３実施形態について説明する。図２５は第３実施形態の空気調和機１の風向板ユニット１０の上面図を示している。説明の便宜上、前述の図１〜図１４に示す第１実施形態と同様の部分には同一の符号を付している。本実施形態では風向板ユニット１０のベース部１１の構成が第１実施形態とは異なっている。その他の部分は第１実施形態と同様である。
【００８７】
ベース部１１の上面（外面）には左右方向に延びる線状の複数の突部１１ｂが前後方向に所定周期で並設されている。突部１１ｂと押下部１９とは左右方向の同じ位置に配置されている。突部１１ｂはベース部１１の平坦面１１ｃよりも上方に突出し、突部１１ｂの高さ（平坦面１１ｃからの突出量）は約０．５ｍｍに形成される。突部１１ｂと隣接する突部１１ｂ間の平坦面１１ｃとにより凹凸１１ｄが形成される。
【００８８】
これにより、風向板ユニット１０の取り外しの際に、使用者が押下部１９の位置で手指により風向板ユニット１０を上下方向に保持した場合に凹凸部１１ｄが滑り止めになり、使用者は押下部１９を上方に向けて押圧しながら風向板ユニット１０を確実に把持することができる。したがって、空気調和機１の利便性を一層向上させることができる。
【００８９】
なお、突部１１ｂの高さが約１ｍｍ以下であれば、突部１１ｂは空気通路６内を流通する気流に対して大きな抵抗にならず、空気調和機１の送風性能に対して大きな支障はない。
【００９０】
本実施形態によると、第１実施形態と同様の効果を得ることができる。また、ベース部１１の外面に凹凸部１１ｄを設け、押下部１９と凹凸部１１ｄとが左右方向の同じ位置に配置される。これにより、風向板ユニット１０の取り外しの際に使用者は風向板ユニット１０を確実に把持することができる。
【００９１】
なお、本実施形態において、線状の突部１１ｂに替えて、ベース部１１の外面にドット状の突部をマトリクス状に配置して凹凸部を形成してもよい。
【００９２】
また、本実施形態の凹凸部１１ｄと同様な凹凸部を第２実施形態の空気調和機１に設けてもよい。
【００９３】
以上、本発明の実施形態について説明したが、本発明の範囲はこれに限定されるものではなく、発明の主旨を逸脱しない範囲で種々の変更を加えて実施することができる。また、本発明の実施形態のうちいくつか又はすべてを組み合わせて用いてもよい。
【産業上の利用可能性】
【００９４】
本発明によると、吹出口の風向を左右方向に可変する風向板を備えた空気調和機に利用することができる。
【符号の説明】
【００９５】
１        空気調和機
２        筐体
３        フロントパネル
４        吸込口
５        吹出口
６        空気通路
７        送風機
８        熱交換器
９        ドレンパン
１０      風向板ユニット
１１      ベース部
１１ａ    貫通孔
１１ｄ    凹凸部
１２      風向板
１３      連結部
１３ａ    溝部
１４      底壁部
１５      突出部
１６      係合部
１７      付勢部
１８      移動部材
１９      押下部
２０      風向板モータ
２１      軸部
２２      キャップ
３０      着脱検知センサ
３１      押ボタン
３２      アーム部材
４０      人感センサ
４１      操作レバー
４１ａ    凹部
４２      蓋部
４２ａ    突起部
５０      フィルタ清掃装置
５１      回転ブラシ
５２      集塵ボックス
５３      ガイドフレーム
７０      フィルタ
８０      導風パネル
１００    ロック機構
【図１】
0006633345.tif 000002
【図２】
0006633345.tif 000003
【図３】
0006633345.tif 000004
【図４】
0006633345.tif 000005
【図５】
0006633345.tif 000006
【図６】
0006633345.tif 000007
【図７】
0006633345.tif 000008
【図８】
0006633345.tif 000009
【図９】
0006633345.tif 000010
【図１０】
0006633345.tif 000011
【図１１】
0006633345.tif 000012
【図１２】
0006633345.tif 000013
【図１３】
0006633345.tif 000014
【図１４】
0006633345.tif 000015
【図１５】
0006633345.tif 000016
【図１６】
0006633345.tif 000017
【図１７】
0006633345.tif 000018
【図１８】
0006633345.tif 000019
【図１９】
0006633345.tif 000020
【図２０】
0006633345.tif 000021
【図２１】
0006633345.tif 000022
【図２２】
0006633345.tif 000023
【図２３】
0006633345.tif 000024
【図２４】
0006633345.tif 000025
【図２５】
0006633345.tif 000026